(57)【要約】      （修正有）【課題】配線器具を簡単且つ確実に、所望の配線経路に着脱自在に設置し、また移設可能とし、更に、二重床内における既設配線に影響されず、設置後の他の配線も許容することのできる簡単な構造の配線器具固定部材及び配線器具設置構造を提供すること。【解決手段】二重床内の配線経路に配線器具３０を設置固定するために設置される配線器具固定部材１０において、配線経路の幅と略等しい幅を有する底部１２と、底部１２の前記幅方向の一方の端部に立設された立設部１４と、立設部１４の外側部に設けられ、配線経路の側壁の所定箇所に係合されて配線用固定部材１０の配線経路伸長方向の位置決めを行う位置決め用係合部と、底部１２の幅方向途中位置に設けられ、他の配線通路を残しつつ立設部１４との間で配線器具３０を着脱可能に係止する係止部１８と、を有している。【選択図】図３
0003105530.tif 000002
【実用新案登録請求の範囲】
【請求項１】
二重床内の配線経路に配線器具を設置固定するために設置される配線器具固定部材において、
前記配線経路の幅と略等しい幅を有する底部と、
該底部の前記幅方向の一方の端縁部に立設された立設部と、
該立設部の外側部に設けられ、前記配線経路の側壁の所定箇所に係合されて前記配線用固定部材の配線経路伸長方向の位置決めを行う位置決め用係合部と、
前記底部の幅方向途中位置に設けられ、他の配線通路を残しつつ前記立設部との間で前記配線器具を着脱可能に係止する係止部と、
を有することを特徴とする配線器具固定部材。
【請求項２】
前記位置決め用係合部は、
前記配線経路の側壁に存在する略鉛直方向に伸長する凹溝に挿入することにより着脱自在に係合可能な凸状部として形成されたことを特徴とする請求項１に記載の配線器具固定部材。
【請求項３】
前記係止部は、
前記底部の幅方向の所定位置に形成された突起部として形成されたことを特徴とする請求項１又は２の何れかに記載の配線器具固定部材。
【請求項４】
前記立設部の内側部には、
前記配線器具と係合し該配線器具の横方向の動きを規制する動き止め係合部を有することを特徴とする請求項１から３の何れかに記載の配線器具固定部材。
【請求項５】
前記立設部には、
前記係止部との間に係止固定された状態の配線器具の上方への位置ずれを防止する係止突起が設けられたことを特徴とする請求項１から４の何れかに記載の配線器具固定部材。
【請求項６】
前記底部には、
前記係止部と共に又は前記係止部に代えて、前記係止固定される配線器具の少なくとも一部を没入係止可能な落し込み部が設けられたことを特徴とする請求項１から５の何れかに記載の配線器具固定部材。
【請求項７】
前記底部には、
前記立設部の設けられている幅方向端部とは反対側の端部に、容易に切除可能な複数の小突起が前記底部の長さ方向の両端部寄り位置に形成されたことを特徴とする請求項１から６の何れかに記載の配線器具固定部材。
【請求項８】
二重床内の配線経路内の所定箇所に設置された請求項１から７の何れかに記載の配線器具固定部材の立設部と係止部との間に配線器具を係止固定してなることを特徴とする配線器具設置構造。
【請求項９】
前記配線器具は、
配線方向両端の端面に電気的接続用の差込み部を備え、
該差込み部の近傍には、前記配線器具の両側面で回動自在に軸着され、前記差込み部に接続された接続用部材を前記回動により上方から押さえ係止する抜け防止部を有し、該抜け防止部の上面には接続用部材の一部の突出を許容する開口部が形成されたことを特徴とする請求項８に記載の配線器具設置構造。
【考案の詳細な説明】
【技術分野】
【０００１】
本考案は、二重床の配線経路内に設置される配線器具固定部材及びそれを用いて配線器具を設置する構造に関する。
【背景技術】
【０００２】
二重床内部に配線空間を形成した二重床、特に、フリーアクセスフロア等の空間に施設される配線（ケーブル）や配線器具は、床上に多数設置されるＯＡ機器のレイアウトや配置状態などに応じて配置される。すなわち、使用し易い様にそれらの設置が行われる。すなわち、二重床内の任意位置の配線空間や配線経路中の所定位置に設置されることが広く知られている。
【０００３】
そして、レイアウト変更や、ＯＡ機器や配線、配線器具の移増設等が行われる際には、その床内に設置された位置の変更や配線接続の変更が行われている。この種の配線器具としては、差込部としてのハーネスプラグ、コンセントプラグを接続するための接続部である差込口を複数有するジョイント器具、床埋込型コンセント、床露出型コンセント等多種多様なものが存在する。
【０００４】
これらの配線器具を二重床内に設置する際には、配線経路に配線器具固定部材を用いて配線器具を設置したり、配線器具を直接、配線経路に固定設置することが行われている。
【０００５】
例えば、文献１の技術では、その図２に示されているように、予め配線器具（６）（コンセント）を取り付けたジョイントユニット取付枠（９）を配線経路に設置するが、その設置は、床面上にねじ部品によって固定することによって行われている。なお、図３、図９から理解されるようにジョイントユニット取付枠（９）には差し込みプラグの抜け止め用部材（１１）が設けられている。
【０００６】
文献２の技術では、その図１，図５等に示されているように、予め配線器具（５）（コンセント）を取り付けた収納部（６）を配線経路に設置するが、その設置は、配線経路を上方からカバーする配線路カバー（７）にねじ止めされ、配線経路の壁部を構成するブロックであるフロアパネル（４）の上面との間ではマジックテープ（登録商標）による係止を行うようにしている。
【０００７】
他の例としては、上記文献２の図７に示されているように、配線器具（５）を一体的に固定した収容部（６３）を爪部（１８）を両側のフロアパネルのスリット（２）に嵌合させて設置するものがある。また、文献３（特許第３０９８９２７号）にも器具取付板（９）に一体的に取り付けられた配線器具（７）がフロアパネルのスリット１０に係合された状態で設置される例が示されている。
【０００８】
更に、文献４（特許第３１１８４３６号）には、支持部（１２）により二重床構造を形成するものにおいて、上記文献２とほぼ同様の構成のものが示されている。すなわち、配線器具本体（２２）の両側に係合部（２２ｄ）を設けこれを両側の支持部（１２）のスリットに係合させて設置している。
【０００９】
また、文献５（特開平１１−２８５１３４）には、その図１６に示されているように配線器具（ジョイントボックス）が直接、二重床の配線経路の通路（交差点部分）に設置されている例が示されている。
【００１０】
【特許文献１】実開昭６４−２５１９
【特許文献２】特許第２７２０４２５号
【特許文献３】特許第１０９８９２７号
【特許文献４】特許第３１１８４３６号
【特許文献５】特開平１１−２８５１３４
【考案の開示】
【考案が解決しようとする課題】
【００１１】
まず、文献１の技術においては、予め配線器具（６）（コンセント）を取り付けたジョイントユニット取付枠（９）の配線経路への設置は、その構成上、床面上にねじ部品によって固定することによって行われており、配線器具の設置位置の位置ずれ防止のためには必要な構成となっている。
【００１２】
したがって、床上の機器類のレイアウトの変更等に伴う配線器具の設置位置の変更に当たっては、ネジの取り外しなどの面倒な作業が必要となるだけでなく、ネジによる固定によって設置面に損傷を与えるという事情がある。また、この技術ではその第４図などからも理解されるように、配線器具の設置後はその部分の配線経路を殆ど塞ぐ構成となっているので、既設配線の存在する箇所や後からの配線ができず不便である。  
文献２の技術の図１，図５等に示されている技術では、位置ずれ防止のためにまず、配線路カバー（７）にねじ止めされており、その状態でフロアパネル（４）にマジックテープ（登録商標）で係止されるが、同じく面倒なねじ止め作業を要し、簡単な移設を行うことができない。また、文献２の図２に示された技術では、既設配線の通路を残すことができる構成をとっているが、マジックテープ（登録商標）を用いること以外に位置決め用の構成を有していない。したがって、ねじ止め固定等を行わなければ、重量の有る配線器具の引っ張り方向の力に耐えることは困難であり、配線器具の設置上好ましくない。特に、マジックテープ（登録商標）の場合、接着力の低下や剥がれの問題も考慮しなければならない。
【００１３】
また、文献２の図７に示された技術では、収容部（６３）を爪部（１８）を両側のフロアパネルのスリット（２）に勘合させて設置することから、文献１の技術と同様に、その部分の配線経路を塞いでしまうという問題がある。この課題は、文献３に示された技術も同様であり、配線器具（７）が設置された状態では、器具取付板（９）によってその部分の配線通路は塞がれ、既設配線や後からの配線に対しては不都合が生じる。
【００１４】
更に、文献４の技術では、配線器具本体（２２）を両側の支持部（１２）のスリットに係合させて簡単に設置することが可能であり、取り外しも容易である。しかし、設置状態では、上記の技術と同様にその通路部分を塞いでしまうことは避けられない。この点は、文献５の技術でも同様であり、配線器具（ジョイントボックス）が直接設置された配線経路の交差点部分は完全に塞がれた状態となる。
【００１５】
また、上述の従来技術では、配線器具の設置のための配線器具固定用部材は、配線器具と嵌合状態或いは接着されて、一体となって設置されるものであり、種々の配線器具を設置するという汎用性はない。
【００１６】
この様に、各種配線器具を着脱自在に、簡単且つ確実に、所望の配線経路に設置可能とすると共に、二重床内における既設配線に影響されず或いは後からの配線を許容しつつ設置することのできる配線器具固定部材やそれを用いた配線器具設置構造は存在していなかった。また、配線器具の設置構造においては、配線器具の着脱容易な設置と共に配線器具に接続された接続部材の安定した接続状態の維持が重要な条件となるが、上記課題を解決しつつこの課題をも解決し得る配線器具の設置構造も存在していない。
【００１７】
本考案は上記課題に鑑みてなれたものであり、その目的は、配線器具を着脱自在に、簡単且つ確実に、所望の配線経路に設置し、また移設可能とし、更に、二重床内における既設配線に影響されず、設置後の他の配線も許容することのできる簡単な構造の配線器具固定部材及び配線器具設置構造を提供することにある。
【課題を解決するための手段】
【００１８】
上記課題を解決するため請求項１に係る配線器具固定部材は、
二重床内の配線経路に配線器具を設置固定するために設置される配線器具固定部材において、前記配線経路の幅と略等しい幅を有する底部と、該底部の前記幅方向の一方の端縁部に立設された立設部と、該立設部の外側部に設けられ、前記配線経路の側壁の所定箇所に係合されて前記配線用固定部材の配線経路伸長方向の位置決めを行う位置決め用係合部と、前記底部の幅方向途中位置に設けられ、他の配線通路を残しつつ前記立設部との間で前記配線器具を着脱可能に係止する係止部と、を有している。
【００１９】
上記構成によれば、底部が配線経路の幅と略等しい幅を有しているので、配線器具固定部材の幅方向の位置ずれは抑制される。また、位置決め用係合部により、配線路の伸長方向の位置ずれも確実に規制される。更に、立設部と係止部により配線器具は両者の間に係止される。したがって、配線器具は配線器具固定部材により簡単に安定して設置され、移設に際しても配線器具固定部材の移動自体を極めて簡単に行うことができるので、それに簡単に係止される配線器具も簡単に移動させることができる。すなわち、配線器具固定部材の係合は、立設部に設けられた位置決め用係合部での係合のみであることから着脱は非常に容易である。なお、他の配線のための通路を残すように上記係止部の設置位置が決定されるので、既設の配線や後からの他の配線を許容しつつ設置することができる。
【００２０】
請求項２に係る配線器具固定部材は、
前記位置決め用係合部が、前記配線経路の側壁に存在する略鉛直方向に伸長する凹溝に挿入することにより着脱自在に係合可能な凸状部として形成されている。この構成により、配線器具固定部材の設置は、立設部に設けられた凸状部を配線経路側壁の凹溝に上方から挿入することで極めて簡単に行うことができ、これにより確実に配線経路の伸長方向への位置ずれが確実に防止される。
【００２１】
請求項３に係る配線器具固定部材は、
前記係止部が、前記底部の幅方向の所定位置に形成された突起部として形成されている。例えば、底部の縁部を上方に屈曲させることなどにより突起を形成することができ、他の複雑な付加構成を行うことなく係止部を形成することができる。
【００２２】
請求項４に係る配線器具固定部材は、
前記立設部の内側部に、前記配線器具と係合し該配線器具の横方向の動きを規制する動き止め係合部を有している。これにより、配線器具を配線器具固定部材に取り付けた状態での配線器具の配線器具固定部材に対する横ずれを簡単な構成により確実に防止することができる。
【００２３】
請求項５に係る配線器具固定部材は、
前記立設部に、前記係止部との間に係止固定された状態の配線器具の上方への位置ずれを防止する係止突起が設けられている。これにより、請求項４の考案と同様に、配線器具を配線器具固定部材に取り付けた状態での配線器具の配線器具固定部材に対する上方向へのずれを簡単な構成により確実に防止することができる。
【００２４】
請求項６に係る配線器具固定部材は、
前記底部に、前記係止部と共に又は前記係止部に代えて、前記係止固定される配線器具の少なくとも一部を没入係止可能な落し込み部が設けられている。これにより、配線器具の配線器具固定部材に取り付けた状態での確実な係止状態を確保することができる。
【００２５】
請求項７に係る配線器具固定部材は、
前記底部の前記立設部の設けられた幅方向端部とは反対側の端縁部に、容易に切除可能な複数の小突起が前記底部の長さ方向の両端部寄り位置に所定間隔をあけて形成されている。この小突起の存在により、ユニットパネルの設置などにより形成される配線通路に変形が生じている様な状況において、適宜小突起を切除してこの変形に対応することが可能となる。すなわち、通常とは異なる配線経路の変形状態において、設置不能状態の回避や設置状態の安定化を図ることができる。
【００２６】
請求項８に係る配線器具設置構造は、
二重床内の配線経路内の所定箇所に設置された請求項１から７の何れかに記載の配線器具固定部材の立設部と係止部との間に配線器具を係止固定してなることを特徴とする。これにより、立設部と係止部との間に係止させることのできる種々の配線器具を上記請求項１から７に記載の機能を奏する配線器具固定部材によって簡単確実に配線経路に設置することができる。
【００２７】
請求項９に係る配線器具設置構造は、
前記配線器具が、配線方向両端の端面に電気的接続用の差込み部を備え、該差込み部の近傍には、前記配線器具の両側面で回動自在に軸着され、前記差込み部に接続された接続用部材を前記回動により上方から押さえ係止する抜け防止部を有し、該抜け防止部の上面には接続用部材の一部の突出を許容する開口部が形成されたことを特徴とする。
【００２８】
これにより、上記各請求項の考案による有効な配線器具の固定設置に加え、設置された配線器具に接続された接続部材の接続状態の安定化が達成され、配線器具設置の信頼性が向上する。
【考案の効果】
【００２９】
本考案に係る配線器具固定部材及びそれを用いた配線器具設置構造によれば、簡単な構造により、配線器具を簡単且つ確実に、配線経路の所望位置に着脱自在に設置することができ、既設の配線や後からの配線も許容し、更に、移設作業の容易化が達成される。
【考案を実施するための最良の形態】
【００３０】
以下、図１〜図１０を用いて、本考案に係る好適な実施例を詳細に説明する。
【実施例１】
【００３１】
図１は、本考案に係る配線器具固定部材の実施例の基本構成を示している。図示の様に、配線器具固定部材１０は、設置される配線経路とほぼ等しい幅Ｗを有する底部１２を有しており、この底部１２の幅方向の一端側には、立設部１４が形成されている。この立設部１４の外側部には位置決め用係合部１６が舌片状の突起として設けられている。この位置決め用係合部１６により、配線器具固定部材１０を後述のように（図２に示す様に）、配線経路１００の任意位置に位置決め固定するものである。
【００３２】
底部１２の幅方向途中位置には、図示していない配線器具３０を立設部１４と共働して、立設部１４との間に挟んだ状態で配線経路１００の任意位置に設置するための係止部１８が設けられている。本実施の形態では、底部１２の両側縁部に１個ずつ底部１２の一部を上方に屈曲させることにより形成している（１８−１，１８−２）。また、この係止部１８の内側面には、設置される配線器具３０に係合する小突起１７がそれぞれ設けられている。
【００３３】
配線器具３０は、立設部１４と係止部１８との間に着脱自在に設置可能であり、係止部１８の底部１２における形成位置は、配線器具３０を係止固定し得る位置であると共に配線器具３０の設置状態で配線経路１００内に他の配線通路を残すことのできる位置である。
【００３４】
なお、立設部１４の内側部には図上波線で示したように略方形の突状部として動き止め係合部１９が設けられており、設置された配線器具３０の横（水平）方向への位置ずれを確実に防止するようにしている。
【００３５】
図２は、配線器具固定部材１０を二重床構造の配線経路１００内に設置する状態を示している。図示のように配線器具固定部材１０は上方から下降させる動作により設置することができる。すなわち、位置決め用係合部１６を配線経路を構成するために床上に設置されたフロアパネル２０に鉛直方向に形成されているスリット２２内に位置決め用係合部１６を差し込みつつ下降させることにより設置することができる。設置した状態では、係止部１８−１，１８−２の外側には他の配線のための通路が残っており、図示したように既設の配線１０６や１０８をそのまま残しておくことが可能である。なお、図において符号１０４はフロアパネル２０上に敷設されるカーペットである。
【００３６】
図３は、配線器具固定部材１０に配線器具３０を取り付ける状態が示されている。図示のように、配線器具３０は上方から、配線器具固定部材１０の立設部１４と係止部１８−１，１８−２との間に設置され、それらの間に係止固定される。このとき、係止部１８−１，１８−２のそれぞれの小突起１７は配線器具３０に形成された小凹部３８−１，３８−２にそれぞれ係合する。また、このとき動き止め係合部１９も図示していない配線器具３０の対応する凹部に係合する。したがって、配線器具固定部材１０に対する配線器具３０の設置状態はより安定したものとなっている。但し、上方に引き抜く動作は、装置や器具を使用することなく簡単に行うことができる。なお、本実施の形態で設置する配線器具３０の構成については後述する。
【００３７】
図４（Ａ）及び（Ｂ）は、配線経路１００内へ配線器具固定部材１０を設置し、更に配線器具３０を設置する動作及び状態を示している。図示の様に、まず、配線器具固定部材１０がその位置決め用係合部１６をフロアパネル２０のスリット２２に差し込んだ状態で下降設置される。次に、配線器具３０が配線器具固定部材１０に取り付けられる。その際、係止部１８の小突起１７や動き止め係合部１９は、配線器具３０の対応する小凹部３８や図示しない凹部に係合する。
【００３８】
同図（Ｂ）には、配線器具固定部材１０及び配線器具３０が設置された状態が示されている。図示のように、配線器具固定部材１０の係止部１８の外側、図上左側の配線空間には、配線器具３０に一体的に設けられた幹線ライン４０、更には、配線器具３０の外側に既設配線１０６や１０８が存在している。図上、配線器具３０に取り付けられたストッパー３５が起こされた状態が示されているが、これについては後述する。
【実施例２】
【００３９】
次に、図５に基づいて、第２の実施例について説明する。この第２実施例は、底部１２の図１に示した第１実施例とは逆の端部にも第２の立設部４２を設けており、その第２の立設部４２に位置決め用係合部１６を設けている。なお、この実施例の場合、まず３つの係止部１８−１，１８−２及び１４は、前述した第1実施例と共通する構成でも良いが、追加した第２の立設部４２は短い範囲でのみ（細く）形成しているので、トータルでは材料費を低減させることができる。本実施例の場合、第１実施例とは反対側の側壁のスリットに位置決め用係合部１６を差し込んで設置することとなり、その位置決め用係合部１６側に既設配線等の通路が確保される。
【実施例３】
【００４０】
次に、図６を用いて、第３の実施例について説明する。本実施例は、第２実施例に対し、第２の立設部４２の長さを長く形成し、同じく、その外側部に位置決め用係合部１６を形成している。図示の様に立設部１４については、底部１２の長さ方向両端に係止部１８−１、１８−２とほぼ同サイズでそれぞれ小立設部１４ａ、１４ｂとして形成されている。これにより、４カ所に突出部が形成された構成となっている。
【００４１】
本実施例によれば、ほぼ同サイズの立設部１４ａ、１４ｂと係止部１８−１、１８−２によって配線器具３０を係止固定するようにしているので、構造が簡単であり、配線器具３０側との係合構造も簡単化でき、且つ設置しやすい。
【実施例４】
【００４２】
次に、図７を用いて、第４の実施例を説明する。本実施例は、第１実施例の基本構成である底部１２、立設部１４及び位置決め用係合部１６に加えて係止突起５０を付加したものである。すなわち、細く形成した立設部１４（位置決め用係合部１６を備える）の上端部に係止突起５０を設けたものであり、これに対応して、設置される配線器具６０の対応位置には切り欠き部６２が形成されており、配線器具６０が配線器具固定部材７０に設置された状態でこの切り欠き部６２に係止突起５０が係止される。
【００４３】
これにより、配線器具６０は配線器具固定部材７０に対して上下方向、横方向共に位置ずれが規制され、安定した設置状態が図られる。また、シンプルな構成で材料費の低減にも貢献することができる。
【実施例５】
【００４４】
更に、図８を用いて、第５の実施例を説明する。本実施例に係る配線器具固定部材８０には、図示の様に、底部１２に、配線器具を底部を落とし込むことのできる落し込み部８２が形成されている。本実施例では、底部１２に設置される配線器具の底面に対応する開口を形成することによって構成している。
【００４５】
この開口部分は、配線器具本体を落とし込んで、例えば床スラブ面に直接設置される様に収容可能とするので、前述した様な係止部を多数設ける必要が無く、開口部分の周縁部分で配線器具を係止することができるので、構造が簡単化でき、材料費も減らすことができる。それに加え、底部１２の厚さ分だけ配線器具の上面位置を下げることができるので、高さ制限がある低床タイプの二重床配線に適用する場合には、スペースを有効利用することが可能となる。
【００４６】
なお、図２や図９に示すように、配線経路１００を形成する二重床構造では、複数のブロック２０を備えて形成されたユニットパネルを設置することによりブロック２０を側壁とする配線経路１００が形成される。この様な配線経路１００の底部分はシート材や連結部でつながっている。その様な構造において、本実施例の落とし込み部８２をそのシート材や連結部にも同様に形成することにより、それらの厚さ分を更に落とし込むことができる。したがって、配線器具３０の上面高さを更に下げることが可能となる。
【００４７】
次に、上記実施例１などにおいて、設置する配線器具の例として示した配線器具３０の構造について、上述の図３、４及び図９を用いて、以下に具体的に説明する。配線器具３０は、図３に示したように、両端部にストッパー部３５−１，３５−２が設けられている。ストッパー部３５−１，３５−２は、配線器具３０の本体部３２の先端部の両側面に回動支点が設けられ、略上下方向の回動が可能となっている。
【００４８】
また、ストッパー部３５−１，３５−２には、側面の開口部３６ａと上面の開口部３６ｂがそれぞれ設けられており、配線器具３０に例えば差込プラグ２００などの接続用部材が接続された際に接続ラインの引き出しとプラグ部分の上方からの突出を許容できるようになっている。これにより、図９に示したように接続用部材の抜け止め機能をしっかり奏することができる。
【００４９】
なお、ストッパー部３５−１，３５−２の回動は、ストッパー部３５が差込プラグ２００の根元部分に係合した時、ストッパー部３５の下方端部は、上記回動支点の位置よりも下方に位置し、しっかりと、抜け止め機能を奏し、差込プラグ２００の上面部はストッパー部３５の開口部３５ｂから突出している。また、その開口部３５ｂの開口縁に差込プラグ２００の一部分を係合させることもでき、側面開口部３５ａ、開口部３５ｂを備えたストッパー部３５の回動支点は、ストッパー部３５が差込プラグ２００に係止された状態で水平よりやや下方に回動した状態で係止するように位置設定されるのが好適である。これにより、どの様な形状のプラグに対しても良好な抜け止め機能を奏することができる。
【実施例６】
【００５０】
図１０（Ａ）及び（Ｂ）に基づいて、第６の実施例を説明する。本実施例に係る配線器具固定部材９０の底部１２には、立設部１４の設けられた端縁部とは幅方向反対側の端縁部に、その長さ方向の両端寄り位置に２個の小突起７０−１、７０−２が形成されている。この小突起７０−１、７０−２は折ったり、ニッパやカッター等の道具により簡単に切除することができるように形成されている。
【００５１】
この様な構成の配線器具固定部材９０によれば、ユニットパネルＰを敷設した際にパネル相互にズレが生じた場合に、同図（Ｂ）から理解されるように配線経路１００の形状に歪みが生ずる。この様なズレが生じている場合、図示のように小突起７０−２をニッパやカッター等で切除することにより、この様な歪みがあるにもかかわらず配線器具固定部材９０の容易な設置が可能となっている。
【００５２】
すなわち、配線器具固定部材９０の幅サイズはできるだけ配線経路１００の幅サイズに近い方が安定した設置状態となるが、図示したような配線経路１００の歪みが生じている場合、底部１２が簡単に設置できない場合が生じる。しかし、本実施例の構成を取ることで底部１２の幅のサイズを部分的に変更することが可能となり、この様なズレ、歪みに対応することができるものである。
【００５３】
以上説明した様に、上記各実施例によれば、簡単な作業で配線経路の幅方向、長さ方向の何れにも位置ずれすることなく配線器具固定部材を設置することができる。したがって、従来技術のような、ねじ止め固定作業や接着テープによる固定に伴う種々の問題が解消される。なお、本実施例では小突起は７０−１、７０−２は底部１２の長さ方向端部寄り位置にそれぞれ１個ずつ設けたが、更に多くの小突起を形成することも可能である。
【００５４】
また、本考案は、上記種々の実施例の構成に限定されるものではなく、考案の要旨の範囲内で種々の変更が可能である。例えば、位置決め用係合部や係止部、立設部の構成は、同様の機能を奏するものであれば、種々のものを採用することが可能である。
【図面の簡単な説明】
【００５５】
【図１】本考案に係る第１実施例を示す配線器具固定部材の構成を示した斜視図である。
【図２】第１実施例の配線器具固定部材を、二重床の配線経路に設置する場合の状態を説明した斜視図である。
【図３】第１実施例の配線器具設置用固定部材に、ストッパー部を有する配線器具を設置する際の状態を説明した斜視図である。
【図４】（Ａ）及び（Ｂ）は第１実施例の配線器具固定部材に、ストッパー部を有する配線器具を設置する際の係合状態を示した説明図である。
【図５】本考案に係る第２実施例を示す配線器具固定部材の構成を示した斜視図である。
【図６】本考案に係る第３実施例を示す配線器具固定部材の構成を示した斜視図である。
【図７】本考案に係る第４実施例を示す配線器具固定部材の構成及びそれに設置される配線器具を示した斜視図である。
【図８】本考案に係る第５実施例を示す配線器具固定部材の構成を示した斜視図である。
【図９】第１実施例の配線器具固定部材を、二重床の配線経路に設置し接続用部材が接続された使用状態を示す斜視図である。
【図１０】（Ａ）及び（Ｂ）は本考案に係る第６実施例を示す配線器具固定部材の構成を示した斜視図である。
【符号の説明】
【００５６】
１０、７０、８０、９０  配線器具固定用部材
１２  底部
１４  立設部
１６  位置決め用係合部
１８  係止部
２０  フロアパネル
３０、６０  配線器具
５０  係止突起
７０  小突起
８２  落し込み部
１００  配線経路
【図１】
0003105530.tif 000003
【図２】
0003105530.tif 000004
【図３】
0003105530.tif 000005
【図４】
0003105530.tif 000006
【図５】
0003105530.tif 000007
【図６】
0003105530.tif 000008
【図７】
0003105530.tif 000009
【図８】
0003105530.tif 000010
【図９】
0003105530.tif 000011
【図１０】
0003105530.tif 000012